(57)【特許請求の範囲】
【請求項１】
前表面が装飾層(27)で覆われ且つ前側の遊技領域(41)内に各種遊技部品(42)〜(49)を配置し且つ遊技盤装着枠(20)に装着される遊技盤(13)を備えた弾球遊技機において、前記装飾層(27)の少なくとも表面部分を導電性樹脂により形成し、前記遊技盤装着枠(20)を導電性樹脂により形成し、前記遊技盤(13)の周辺部前面側を前記遊技盤装着枠(20)の装着部前面(20a) に圧着させた状態で前記遊技盤(13)を保持することによりその圧着部分で前記遊技盤装着枠(20)と前記装飾層(27)とを導通させたことを特徴とする弾球遊技機。
【請求項２】
前記遊技部品(42)〜(49)を導電性樹脂で形成し、該遊技部品(42)〜(49)の一部を前記装飾層(27)の前面側に圧着させることにより前記装飾層(27)と導通させたことを特徴とする請求項１に記載の弾球遊技機。
【請求項３】
前記遊技領域(41)を囲むガイドレール(28)を導電性材料で形成し、前記装飾層(27)と導通させたことを特徴とする請求項１又は２に記載の弾球遊技機。
【請求項４】
前記遊技盤(13)の装飾層(27)を、遊技機本体(1) を介してグランド線に接続したことを特徴とする請求項１〜３の何れかに記載の弾球遊技機。
【請求項５】
前記装飾層(27)を、前記遊技盤(13)の前表面から少なくとも側面側の一部分までを覆うように設けたことを特徴とする請求項１〜４の何れかに記載の弾球遊技機。
【発明の詳細な説明】
【０００１】
【発明の属する技術分野】
本発明は、パチンコ機、アレンジボール機、雀球遊技機等の弾球遊技機に関するものである。
【０００２】
【従来の技術】
パチンコ機、アレンジボール機などの弾球遊技機では、ＣＰＵ、ＲＯＭ、ＲＡＭその他の電子部品が装着された制御基板により制御を行う電子制御方式を採用しており、例えば機能別に設けられた主制御基板、払い出し制御基板、発射制御基板等によって遊技動作、払い出し動作、発射動作等をそれぞれ制御するようになっている。
【０００３】
【発明が解決しようとする課題】
このような制御基板は、電磁波等のノイズに非常に敏感であり、このようなノイズが制御基板に飛来すると、制御素子が誤動作を起こして遊技動作や払い出し動作等が正常に行われなくなる場合がある。
【０００４】
ところで、遊技機の制御基板の動作に悪影響を与えるノイズの発生源としては、遊技機外部で発生する例えば携帯電話からの電磁波なども考えられるが、遊技機の内部の遊技球が最も主要な発生源であると考えられる。即ち、遊技機内では多数の遊技球が、互いに擦れ合ったり、或いは通路内の例えば樹脂製の壁面等に擦れながら流動を繰り返しており、遊技球は常に帯電しやすい状況にあり、このような状況で高い電荷を帯びた遊技球から発生したノイズが、制御基板に悪影響を与えるものと考えられる。
【０００５】
本発明は、このような問題点に鑑み、遊技球に生じた電荷を効率よく逃がし、制御基板へ悪影響を与えるノイズの発生を抑制できる弾球遊技機を提供することを目的とする。
【０００６】
【課題を解決するための手段】
本発明は、前表面が装飾層２７で覆われ且つ前側の遊技領域４１内に各種遊技部品４２〜４９を配置し且つ遊技盤装着枠２０に装着される遊技盤１３を備えた弾球遊技機において、前記装飾層２７の少なくとも表面部分を導電性樹脂により形成し、前記遊技盤装着枠２０を導電性樹脂により形成し、前記遊技盤１３の周辺部前面側を前記遊技盤装着枠２０の装着部前面２０ａに圧着させた状態で前記遊技盤１３を保持することによりその圧着部分で前記遊技盤装着枠２０と前記装飾層２７とを導通させたものである。
【０００７】
【発明の実施の形態】
以下、本発明の実施形態を図面に基づいて詳述する。図１〜図７は本発明をパチンコ機として具現化した第１の実施形態を例示している。１は遊技機本体で、矩形状の外枠２の前側に、上下一対のヒンジ４，４を介して前枠３が開閉自在に枢着されている。５はガラス扉、６は前面開閉板で、これらは前枠３の窓孔７に対応して上下に配置され、前枠３に開閉自在に枢支されている。８は発射用の遊技球を貯留する上皿で、前面開閉板６の前側に装着され、上皿カバー９により覆われている。また、１０は余剰球等を貯留する下皿、１１は灰皿で、これらは前面開閉板６の下側で前枠３の前側に左右に配置され、下皿カバー１２により覆われている。１３は遊技盤で、前枠３の窓孔７に対応するように、前枠３の裏側の遊技盤装着枠２０に裏側から着脱自在に装着され、窓孔７の下部側で前枠３の裏側に装着された支持板２１により下側から支持されている。
【０００８】
２２は発射手段で、下皿１０の一側で前枠３の前側に装着された発射ハンドル２３と、支持板２１の前側に装着された発射レール２４と、前枠３の裏側に配置された発射モータ２５及び打撃槌２６等を備え、発射ハンドル２３を操作したときに、発射モータ２５により打撃槌２６が作動して、前面開閉板６の裏側に装着された図外の球送り手段により発射レール２４上に１個づつ供給される遊技球を遊技盤１３側に発射させるようになっている。
【０００９】
遊技盤１３の前表面には、装飾シート（装飾層）２７が略全面にわたって貼着されている。この装飾シート２７は、例えば絵柄等がプリントされたプリントシートの表面を透明な保護膜で覆ったもので、少なくともその表面の保護膜部分が導電性樹脂により形成されている。導電性樹脂としては、例えばカーボンを含有した合成樹脂等を用いることができる。
【００１０】
また、遊技盤１３の前側には、図３に示すように、発射手段２２により発射された遊技球を案内するガイドレール２８が環状に装着されると共に、そのガイドレール２８の内側の遊技領域４１に、液晶表示手段４２、特別図柄始動手段４３、大入賞手段４４、普通図柄始動手段４５、普通入賞手段４６、装飾風車４７、風車４８、表示ランプ４９等の各種遊技部品が配置されている。また、遊技領域４１の最下部には、アウト口５０を備えたアウト口手段５１が設けられている。更に、遊技領域４１内には、多数の遊技釘５２が配置されている。
【００１１】
液晶表示手段４２は、特別図柄表示手段５３を構成するもので、更にその上部に普通図柄表示手段５４が設けられている。特別図柄表示手段５３は、特別図柄始動手段４３に遊技球が入賞することを条件に、例えば３つの特別図柄が所定時間変動して停止するようになっている。また、普通図柄表示手段５４は、ゲート状の普通図柄始動手段４５を遊技球が通過することを条件に、例えば１つの普通図柄が所定時間変動して停止するようになっている。
【００１２】
この液晶表示手段４２は、図５に示すように、普通図柄表示手段５４や表示窓５５等を一体に備える液晶表示手段本体５６と、特別図柄等の表示を行う液晶ユニット５７とを備えている。液晶表示手段本体５６はその主要構成部分が導電性樹脂により形成されており、その周縁部には外向きに張り出す張り出し部５６ａが一体に形成されている。液晶表示手段４２は、液晶表示手段本体５６を遊技盤１３に形成された取り付け孔１４に対して前側から装着し、更に液晶ユニット５７を遊技盤１３の裏側から液晶表示手段本体５６の裏面側に装着し、液晶表示手段本体５６の張り出し部５６ａと液晶ユニット５７の周縁部とで取り付け孔１４の縁部を前後から挟みこむことにより、遊技盤１３に着脱自在に装着されている。このとき、液晶表示手段本体５６の張り出し部５６ａは、遊技盤１３の表面の装飾シート２７と圧着し、互いに導通した状態となっている。
【００１３】
また、遊技盤１３の裏面側には、液晶表示手段４２の裏側の液晶ユニット５７を覆うように液晶ユニットカバー５８が着脱自在に装着されており、この内部には、特別図柄表示手段５３と普通図柄表示手段５４とを制御する図柄表示制御基板５９が収納されている。
【００１４】
特別図柄始動手段４３は、図５に示すように、特別図柄始動手段本体６０に、入賞した遊技球を遊技盤１３の裏面側に案内する案内通路６０ａを一体に備え、更にその特別図柄始動手段本体６０の前面側に開閉自在の開閉爪６１を、裏面側に開閉爪６１を開閉駆動するソレノイド６２をそれぞれ備えており、普通図柄表示手段５４の変動後の停止図柄が「７」等の所定の当たり図柄で確定した後に、開閉爪６１がソレノイド６２の駆動により所定回数開放するようになっている。特別図柄始動手段本体６０の周縁部には、外向きに張り出す張り出し部６０ｂが一体に形成されており、特別図柄始動手段本体６０及びその張り出し部６０ｂ、開閉爪６１等は導電性樹脂により形成されている。特別図柄始動手段４３は、遊技盤１３に形成された取り付け孔１５に対して前側から装着され、例えば図外の取り付けネジ等により着脱自在に固定されている。このとき、特別図柄始動手段本体６０の張り出し部６０ａは、遊技盤１３の表面の装飾シート２７と圧着して互いに導通した状態となっている。
【００１５】
大入賞手段４４は、図５に示すように、大入賞手段本体６３に、入賞した遊技球を遊技盤１３の裏面側に案内する案内通路６３ａを一体に備え、更にその大入賞手段本体６３の前面側に開閉体６４を、後側に開閉体６４を開閉駆動するソレノイド６５をそれぞれ備えており、特別図柄表示手段５３の変動後の停止図柄が「７・７・７」等の所定の大当たり図柄で確定した後に、開閉体６４がソレノイド６５の駆動により所定時間開放して遊技者に有利な利益状態を発生するようになっている。大入賞手段本体６３の周縁部には、外向きに張り出す張り出し部６３ｂが一体に形成されており、大入賞手段本体６３及びその張り出し部６３ｂ、開閉体６４等は導電性樹脂により形成されている。大入賞手段４４は、遊技盤１３に形成された取り付け孔１６に対して前側から装着され、例えば図外の取り付けネジ等により着脱自在に固定されている。このとき、大入賞手段本体６３の張り出し部６３ｂは、遊技盤１３の表面の装飾シート２７と圧着して互いに導通した状態となっている。
【００１６】
普通図柄始動手段４５は、図７（ａ）に示すように、遊技球が通過する上下方向の通過路４５ａを一体に備え、遊技盤１３の前側に取り付けネジ、圧入等により着脱自在に装着されている。普通図柄始動手段４５は、導電性樹脂により形成されており、遊技盤１３の表面の装飾シート２７と圧着して互いに導通した状態となっている。
【００１７】
普通入賞手段４６は、図７（ａ）に示すように、普通入賞手段本体６６に、入賞した遊技球を遊技盤１３の裏面側に案内する案内通路６６ａを一体に備え、更にその普通入賞手段本体６６の周縁部には外向きに張り出す張り出し部６６ｂが形成されており、それらは導電性樹脂により一体に形成されている。普通入賞手段４６は、遊技盤１３に形成された取り付け孔１７に対して前側から装着され、取り付けネジにより着脱自在に固定されており、普通入賞手段本体６６の張り出し部６６ｂは、遊技盤１３の表面の装飾シート２７と圧着して互いに導通した状態となっている。
【００１８】
装飾風車４７は、図６及び図７（ａ）に示すように、板状の装飾風車本体６７と、その装飾風車本体６７に回転自在に枢支された回転体６８とを備え、導電性樹脂により形成されている。装飾風車４７は、装飾風車本体６７の裏面側を遊技盤１３の盤面に沿わせた状態で取り付けネジにより装着されており、遊技盤１３の表面の装飾シート２７と圧着して互いに導通した状態となっている。
【００１９】
風車４８は、図６及び図７（ａ）に示すように、導電性樹脂よりなる回転体６９と、その回転体を回転自在に軸支する金属製の風車釘７０とを備え、風車釘７０を装飾シート２７の上から遊技盤１３の盤面に打ち込むことにより遊技盤１３の前側に装着されている。なお、風車４８の回転体６９は、風車釘７０を介して装飾シート２７と互いに導通した状態となっている。
【００２０】
表示ランプ４９は、図７（ｂ）に示すように、導電性樹脂よりなる表示ランプ本体７１と、この表示ランプ本体７１の内側に裏側から装着されたＬＥＤ基板７２とを備えており、表示ランプ本体７１の周縁部には外向きに張り出す張り出し部７１ａが一体に形成されている。表示ランプ４９は、遊技盤１３に形成された取り付け孔１８に対して前側から装着され、張り出し部７１ａにおいて取り付けネジにより着脱自在に固定されており、表示ランプ本体７１の張り出し部７１ａは、遊技盤１３の表面の装飾シート２７と圧着して互いに導通した状態となっている。
【００２１】
ガイドレール２８は、金属製の薄板により形成されており、図６及び図７に示すように、長手方向の複数箇所において装飾シート２７の上から遊技盤１３に固定釘２９を打ち込むことにより、遊技盤１３の前側に略垂直に立設されている。これにより、ガイドレール２８と装飾シート２７とは、ガイドレール２８の後側縁部と装飾シート２７との接触部、或いは固定釘２９を介して互いに導通した状態となっている。
【００２２】
アウト口手段５１は、金属薄板により形成され、図５に示すように、遊技盤１３における遊技領域４１の最下部に盤面に沿って装着されており、遊技盤１３の表面の装飾シート２７と接触して互いに導通した状態となっている。また、アウト口手段５１には、遊技盤１３に形成されたアウト球案内孔１９の前側に連通する横長状のアウト口５０が形成されている。また、アウト口手段５１の前側には、内側のガイドレール２８が配置されており、両者は互いに導通されている。ガイドレール２８には、アウト口５０の下縁側に沿って、凹部３０が後向きの傾斜状に形成されており、遊技領域４１の最下部まで落下した遊技球をアウト口５０側に案内するようになっている。
【００２３】
遊技盤１３の裏側には、図２に示すように、液晶ユニットカバー５８や各種遊技部品を裏側から覆う裏カバー８１が装着されている。裏カバー８１の裏側には、主制御基板８２を収納する主基板ケース８３と、ランプ表示制御基板８４を収納するランプ表示基板ケース８５と、音声制御基板８６を収納する音声基板ケース８７とが着脱自在に装着されている。
【００２４】
遊技盤装着枠２０は門形状であって、導電性樹脂等の導電性材料で形成され、前枠３の窓孔７に沿って前枠３の裏側に固定されており、この遊技盤装着枠２０の下端部間に、前枠３の裏側に固定された支持板２１が配置されている。遊技盤装着枠２０には、遊技盤１３を裏側から押圧して固定するように、裏機構板９１が上下一対のヒンジ９２，９２により開閉自在に枢着され、４個の締結具９３により遊技盤装着枠２０に締結されている。
【００２５】
遊技盤１３は、図４に示すように、その周辺部前面側を遊技盤装着枠２０の装着部前面２０ａに圧着した状態で前枠３に装着される。これにより、遊技盤１３を前枠３に装着した状態では、遊技盤１３の前表面に貼着された装飾シート２７は、遊技盤装着枠２０の装着部前面２０ａとの圧着部分で遊技盤装着枠２０と導通した状態となる。
【００２６】
裏機構板９１には、図２に示すように、その中央部に裏カバー８１が嵌合する開口部９４が形成され、この開口部９４の上側に遊技球タンク９５とタンクレール９６が、左右一側に払い出し手段９７が、下側に通路ユニット９８と設置部９９とが夫々設けられており、遊技球が大入賞手段４４等に入賞したとき、或いは図外の自動球貸し機から球貸し指令があったときに、遊技球タンク９５内の遊技球をタンクレール９６を経て払い出し手段９７により払い出し、その遊技球を通路ユニット９８を経て上皿８等に案内するようになっている。
【００２７】
設置部９９には、払い出し制御基板１００を収納する払い出し基板ケース１０１と、電源基板１０２を収納する電源基板ケース１０３とが裏側から着脱自在に取り付けられている。なお、大入賞手段４４等に入賞して遊技盤１３の裏側に案内された遊技球は、裏カバー８１の下部で集められ、裏機構板９１側の回収通路を経て島側に排出されるようになっている。
【００２８】
上記構成のパチンコ機において、遊技者が図外の自動球貸し機を操作すると、島側から供給されて遊技球タンク９５内に貯留されている遊技球が、タンクレール９６を経て払い出し手段９７により払い出され、通路ユニット９８を経て上皿８に排出される。上皿８内の遊技球は、発射手段２２側に順次流下し、その下流側において横一列状に整列する。遊技者が発射ハンドル２３を操作すると、発射モータ２５により打撃槌２６が作動すると共に、これと連動して図外の球送り手段により上皿８内の遊技球が発射レール２４上に１個ずつ供給され、これによって遊技球が遊技盤１３側に順次発射される。
【００２９】
発射された遊技球は、発射レール２４、ガイドレール２８を経て遊技領域４１の上部に導かれた後、遊技釘５２等に衝突しながら遊技盤１３の盤面に沿って落下する。遊技盤１３に沿って遊技領域４１内を落下する間に、ある遊技球は普通入賞手段４６等に入賞し、入賞できなかった遊技球はガイドレール２８に案内されてアウト口５０に入り、共に遊技盤１３の裏側に案内されて裏カバー８１の下部で集められ、裏機構板９１側の回収通路を経て島側に回収される。
【００３０】
このように、発射手段２２により遊技盤１３側に発射された遊技球は、ガイドレール２８、遊技盤１３表面の装飾シート２７、各種遊技部品、アウト口手段５１等と接触しつつ、最終的に遊技盤１３の裏側に案内される。ここで、ガイドレール２８、各種遊技部品、アウト口手段５１等は、金属や導電性樹脂等で形成されており、且つ遊技盤１３の表面の導電性樹脂製の装飾シート２７及び遊技盤装着枠２０と導通している。したがって、例えば島設備内や遊技機内で他の遊技球や通路壁等と擦れ合うことによって遊技球に生じた電荷は、遊技球が遊技盤１３側のガイドレール２８、各種遊技部品、アウト口手段５１等と接触したとき、或いは装飾シート２７の表面に接触したときに、装飾シート２７或いは遊技盤装着枠２０に流れ、ここから大気に放電されることにより除去される。これにより、帯電した遊技球から発せられるノイズが主制御基板８２等の制御基板に悪影響を及ぼす不具合を防止できる。
【００３１】
なお、更に装飾シート２７を遊技機本体１側の例えば遊技盤装着枠２０を介してグランド線に接続してもよい。この場合、帯電した遊技球がガイドレール２８、各種遊技部品、アウト口手段５１等に接触したとき、装飾シート２７の表面から大気放電する場合と比べて極めて短時間で急激に電位が低下することになる。
【００３２】
図８は、本発明の第２の実施形態を例示し、装飾シート２７を、遊技盤１３の前表面から側面側までを覆うように貼着した例を示している。このような構成により、装飾シート２７は、遊技盤１３の周辺部前面側、及び側面側においてそれぞれ遊技盤装着枠２０の装着部前面２０ａ、装着部側面２０ｂに圧着されるため、装飾シート２７と遊技盤装着枠２０との間の導通をより確実なものとすることができる。なお、装飾シート２７は、遊技盤１３の前表面から少なくとも側面側の一部分までを覆うように貼着すればよい。
【００３３】
以上、本発明の各実施形態について詳述したが、本発明はこれら各実施形態に限定されるものではなく、本発明の趣旨を逸脱しない範囲内で種々の変更が可能である。例えば、遊技盤１３の前表面の装飾層は、装飾シート２７を貼着する以外に、表面処理を施した遊技盤１３に導電性樹脂を直接プリントするなどの方法で形成してもよい。
【００３４】
大入賞手段４４等の遊技部品は、全ての部分を導電性樹脂で形成する必要はなく、少なくとも遊技球が主に接触する部分と、装飾シート２７と接触する部分とを含む主要構成部分を導電性樹脂で形成すればよい。また、遊技領域４１内の全ての遊技部品を導電性樹脂で形成する必要はなく、一部の遊技部品のみを導電性樹脂で形成してもよい。また、全ての遊技部品を導電性樹脂以外の材料で構成し、装飾シート２７のみを導電性樹脂で形成してもよい。
【００３５】
各遊技部品は、取り付けネジにより遊技盤１３に固定するものでもよいし、係合爪を遊技盤１３側の係合溝等に係合させて固定するものでもよい。
【００３６】
更に、実施形態ではパチンコ機を例に挙げて説明したが、アレンジボール機、雀球遊技機等のその他の弾球遊技機であっても同様に実施可能であることは言うまでもない。
【００３７】
【発明の効果】
本発明によれば、前表面が装飾層２７で覆われ且つ前側の遊技領域４１内に各種遊技部品４２〜４９を配置し且つ遊技盤装着枠２０に装着される遊技盤１３を備えた弾球遊技機において、装飾層２７の少なくとも表面部分を導電性樹脂により形成し、遊技盤装着枠２０を導電性樹脂により形成し、遊技盤１３の周辺部前面側を遊技盤装着枠２０の装着部前面２０ａに圧着させた状態で遊技盤１３を保持することによりその圧着部分で遊技盤装着枠２０と装飾層２７とを導通させているため、遊技球に生じた電荷を、遊技球が遊技領域４１内で盤面に沿って落下する際に装飾層２７側に逃がすことができ、ノイズの発生を抑えて制御基板の誤動作等の不具合を防止することが可能となる。
【図面の簡単な説明】
【図１】本発明の第１の実施形態を示すパチンコ機の正面図である。
【図２】本発明の第１の実施形態を示すパチンコ機の背面図である。
【図３】本発明の第１の実施形態を示すパチンコ機の遊技盤の正面図である。
【図４】本発明の第１の実施形態を示すパチンコ機の横断面図である。
【図５】本発明の第１の実施形態を示すパチンコ機の縦断面図である。
【図６】本発明の第１の実施形態を示すパチンコ機の遊技盤の部分拡大図である。
【図７】本発明の第１の実施形態を示すパチンコ機の遊技盤の縦断面図である。
【図８】本発明の第２の実施形態を示すパチンコ機の横断面図である。
【符号の説明】
１    遊技機本体
１３    遊技盤
２０    遊技盤装着枠
２７    装飾シート（装飾層）
２８    ガイドレール
４１    遊技領域
４２    液晶表示手段
４３    特別図柄始動手段
４４    大入賞手段
４５    普通図柄始動手段
４６    普通入賞手段
４７    装飾風車
４８    風車
４９    表示ランプ
【図１】
0003742307.tif 000002
【図２】
0003742307.tif 000003
【図３】
0003742307.tif 000004
【図４】
0003742307.tif 000005
【図５】
0003742307.tif 000006
【図６】
0003742307.tif 000007
【図７】
0003742307.tif 000008
【図８】
0003742307.tif 000009